(57)【要約】【課題】パネルの取付けを容易にすることによって建築コストを低減させる。【解決手段】鉄骨系のプレハブ住宅等の外壁を構成するパネルを柱、梁等からなる骨組み２０に取り付けるパネル取付治具１であって、骨組み２０に固着されるナット７と、ナットに螺着される主ねじ６と、主ねじ６の一端に一体に連結される治具本体２と、治具本体２に螺着される調整ねじ９、９とを備える。治具本体２内にパネル１５の支柱１６を位置し、調整ねじ９、９の治具本体２に対する螺着位置を調整して支柱１６を治具本体２内の所定の位置に位置決めし、この状態で、止めねじ１０を治具本体２を挿通させて支柱１６に螺合させて締め付け、支柱１６を治具本体２に固定することで、パネル１５が骨組み２０に取り付けられる。【選択図】        図７
2004183311.tif 000002
【特許請求の範囲】
【請求項１】
鉄骨系のプレハブ住宅等の外壁を構成するパネルを柱、梁等からなる骨組みに取り付けるパネル取付治具であって、骨組みに固着される治具本体と、該治具本体に螺着される調整ねじとを備え、前記治具本体内にパネル側に設けた支柱を位置し、前記調整ねじの前記治具本体に対する螺着位置を調整することにより前記支柱を治具本体内の所定の位置に位置決めし、この状態で前記支柱を前記治具本体側に止めねじにより固定することを特徴とするパネル取付治具。
【請求項２】
前記治具本体には主ねじが一体に連結され、この主ねじを骨組みに固着させたナットに螺着させることにより、前記治具本体を柱、梁等からなる骨組みに固着させるように構成したことを特徴とする請求項１に記載のパネル取付治具。
【請求項３】
前記治具本体には、前記止めねじを挿通させるねじ挿通用の孔が設けられ、このねじ挿通用の孔を挿通させた止めねじを前記支柱に設けられたねじ孔に螺合させて締め付けることにより、前記支柱が治具本体に固定されることを特徴とする請求項１又は２に記載のパネル取付治具。
【発明の詳細な説明】
【０００１】
【発明の属する技術分野】
本発明は、パネル取付治具に関し、特に、鉄骨系のプレハブ住宅等の外壁を構成するパネルを柱、梁等からなる骨組みに取り付けるのに有効なパネル取付治具に関するものである。
【０００２】
【従来の技術】
一般に、鉄骨系のプレハブ住宅等は、柱、梁等を組み合わせて骨組みを構成し、この後に、骨組みの外側に複数枚のパネルを取り付けて外壁を構成している。
【０００３】
複数枚のパネルを骨組みに取り付ける方法として、ボルトによってパネルを骨組みに取り付ける方法、専用の取付治具を用いてパネルを骨組みに取り付ける方法等があり、専用の取付治具を用いる方法として、パネル側にナットを埋設し、骨組みとパネルとの間にＬ形状のブラケットを位置し、ブラケットの端部を骨組み側に係止させ、ブラケットを挿通させたボルトをパネル側のナットに螺合させて締め付けることにより、パネルを骨組み側に固定する方法が開示されている（例えば、特許文献１参照。）。
【０００４】
【特許文献１】
特開平１０−１２１６１９号公報
【０００５】
【発明が解決しようとする課題】
しかしながら、このようなパネルの取付方法にあっては、ブラケットとパネル側のナットとの相対的な位置決めに手間がかかるため、外壁工事に多大な労力と時間を要し、施工期間が長くなり、施工コストが高くついてしまう。
【０００６】
本発明は、上記のような従来の問題を解決したものであって、パネルの取付けが簡単にできて、外壁工事に要する手間を少なくすることができ、これにより、施工期間を短縮することができるとともに、施工コストを低減させることのできるパネル取付治具を提供することを目的とするものである。
【０００７】
【課題を解決するための手段】
上記のような課題を解決するために、本発明の請求項１に係るパネル取付治具は、鉄骨系のプレハブ住宅等の外壁を構成するパネルを柱、梁等からなる骨組みに取り付けるパネル取付治具であって、骨組みに固着される治具本体と、該治具本体に螺着される調整ねじとを備え、前記治具本体内にパネル側に設けた支柱を位置し、前記調整ねじの前記治具本体に対する螺着位置を調整することにより前記支柱を治具本体内の所定の位置に位置決めし、この状態で前記支柱を前記治具本体側に止めねじにより固定する手段を採用している。
また、本発明の請求項２に係るパネル取付治具は、請求項１に記載のパネル取付治具において、前記治具本体には主ねじが一体に連結され、この主ねじを骨組みに固着させたナットに螺着させることにより、前記治具本体を柱、梁等からなる骨組みに固着させるように構成した手段を採用している。
さらに、本発明の請求項３に係るパネル取付治具は、請求項１又は２に記載のパネル取付治具において、前記治具本体には、前記止めねじを挿通させるねじ挿通用の孔が設けられ、このねじ挿通用の孔を挿通させた止めねじを前記支柱に設けられたねじ孔に螺合させて締め付けることにより、前記支柱が治具本体に固定される手段を採用している。
【０００８】
【作用】
本発明は、上記のような手段を採用したことにより、治具本体を骨組み側に固着し、この状態で治具本体内にパネルの支柱を位置し、調整ねじの治具本体に対する螺着位置を調整して支柱を治具本体内の所定の位置に位置決めし、支柱を止めねじによって治具本体に固定することで、パネルが骨組みに取り付けられることになる。そして、このようなことを繰り返すことで骨組みの外側に複数枚のパネルからなる外壁が構成されることになる。
【０００９】
【発明の実施の形態】
以下、図面に示す本発明の実施の形態について説明する。
図１〜図８には、本発明によるパネル取付治具の一実施の形態が示されていて、このパネル取付治具１は、鉄骨製の柱、梁等を組み合わせて構成した骨組み２０の外側に複数枚のパネル１５を取り付けるために用いられるものであって、各パネル１５を骨組み２０側に固定するシングル用パネル取付治具１ａと、上下方向に隣接する２枚のパネル１５、１５を骨組み２０側に固定するダブル用パネル取付治具１ｂとを備えている。
【００１０】
シングル用パネル取付治具１ａは、図１及び図２に示すように、治具本体２と、治具本体２に一体に連結される主ねじ６と、治具本体２に螺着される調整ねじ９、９と、骨組み２０側に固定されるナット７とから構成されている。
【００１１】
治具本体２は、平板状の主板３と、主板３の上下端に一体に設けられる主板３と直交する平板状の上板４及び下板５とからなる略コ形状をなすものであって、主板３の外側中央部に主ねじ６の一端が溶接等より一体に連結されるようになっている。
【００１２】
主ねじ６としては、六角ボルト、棒ねじ等が挙げられる。この実施の形態においては、六角ボルトを用いてその頭部を主板３側に溶接により一体に連結しているが、所定の長さの棒ねじの一端を溶接等により主板側に連結するようにしても良い。
【００１３】
治具本体２の主板３の水平方向の両端部には、それぞれねじ挿通用の孔３ａが貫通した状態で設けられている。このねじ挿通用の孔３ａは止めねじ１０を挿通可能な大きさに形成されている。
【００１４】
治具本体２の上板４の中心部及び下板５の中心部には、それぞれねじ孔４ａ、５ａがそれぞれ貫通した状態で設けられ、このねじ孔４ａ、５ａ内にそれぞれ外側から六角ボルト等の調整ねじ９、９が螺着されるようになっている。この場合、各調整ねじ９にロックナット（図示せず）を螺着させ、調整ねじ９を治具本体２に固定するように構成しても良い。
【００１５】
ダブル用パネル取付治具１ｂは、図３及び図４に示すように、シングル用パネル取付治具１ａと同様に、治具本体２と、治具本体２に一体に連結される主ねじ６と、治具本体２に螺着される調整ねじ９、９と、骨組み２０側に固定されるナット７とを備えている。
【００１６】
ダブル用パネル取付治具１ｂは、治具本体２の主板３をシングル用パネル取付治具１ａよりも長く構成し、その主板３の四隅部にそれぞれねじ挿通用の孔３ａを設けたものであって、その他の構成はシングル用パネル取付治具１ａと同様であるので、シングル用パネル取付治具１ａと同一の部分には同一の番号を付してその詳細な説明は省略するものとする。
【００１７】
そして、上記のように構成したこの実施の形態によるパネル取付治具１（シングル用パネル取付治具１ａ及びダブル用パネル取付治具１ｂ）を用いて骨組み２０の外側に複数枚のパネル１５を取り付けるには、まず、図５〜図７に示すように、骨組み２０側にシングル用パネル取付治具１ａのナット７を溶接等により一体に連結し、このナット７に主ねじ６を螺合させて締め付け、ナット７から突出している主ねじ６の部分にロックナット８を螺合させて締め付け、シングル用パネル取付治具１ａの治具本体２を骨組み２０側に固定する。
【００１８】
次に、図５及び図８に示すように、骨組み２０側にダブル用パネル取付治具１ｂのナット７を溶接等により一体に連結し、このナット７に主ねじ６を螺合させて締め付け、ナット７から突出している主ねじ６の部分にロックナット８を螺合させて締め付け、ダブル用パネル取付治具１ｂの治具本体２を骨組み２０側に固定する。
【００１９】
そして、骨組み２０の外側にパネル１５を位置し、各パネル１５の支柱１６をシングル用パネル取付治具１ａの治具本体２内に位置し、調整ねじ９、９の治具本体２に対する螺着位置を調整し、上下方向から調整ねじ９、９によって支柱１６を押圧し、支柱１６を治具本体２内の所定の位置に位置決めする。
【００２０】
そして、この状態で治具本体２の主板３の各ねじ挿通用の孔３ａ内に外側から止めねじ１０を挿通させ、その止めねじ１０をパネル１５の支柱１６に設けられているねじ孔（図示せず）に螺合させて締め付け、支柱１６を治具本体２に固定する。
【００２１】
そして、上下方向に隣接するパネル１５、１５の支柱１６、１６をダブル用パネル取付治具１ｂの治具本体２内に位置し、調整ねじ９、９の治具本体２に対する螺着位置を調整し、上下方向から調整ねじ９、９によって支柱１６、１６を押圧し、支柱１６、１６を治具本体２内の所定の位置に位置決めする。
【００２２】
そして、この状態で治具本体２の主板３の各ねじ挿通用の孔３ａ内に外側からそれぞれ止めねじ１０を挿通させ、各止めねじ１０を各パネル１５の各支柱１６に設けられているねじ孔（図示せず）に螺合させて締め付け、各パネル１５の各支柱１６を治具本体２に固定する。
【００２３】
そして、このようなことを複数枚のパネル１５、１５……に対して繰り返し行うことにより、骨組み２０の外側に複数枚のパネル１５、１５……を取り付けることができ、骨組み２０の外側に外壁を構成することができるものである。
【００２４】
上記のように構成したこの実施の形態によるパネル取付治具１にあっては、シングル用パネル取付治具１ａのナット７及びダブル用パネル取付治具１ｂのナット７をそれぞれ骨組み２０側に溶接等により固定し、このナット７に主ねじ６を螺着させて、治具本体２内にパネル１５側の支柱１６又は上下方向に隣接するパネル１５、１５の２本の支柱１６、１６を位置し、支柱１６を調整ねじ９、９によって所定の位置に位置決めした状態で、治具本体２に止めねじ１０によって支柱１６を固定することで、パネル１５を骨組み２０側に取り付けることができるので、パネル１５の取付けが非常に容易となる。従って、外壁工事に要する手間を少なくすることができるので、施工期間を短縮することができるとともに、施工コストを低減させることができる。
【００２５】
なお、前記の説明においては、シングル用パネル取付治具１ａ及びダブル用パネル取付治具１ｂを、治具本体２の上板４及び下板５が水平方向を向くように使用し、その治具本体２の内部にパネル１５の水平方向を向く支柱１６を位置させて固定したが、図示はしないが、治具本体２の上板４及び下板５が垂直方向を向くようにシングル用パネル取付治具１ａ及びダブル用パネル取付治具１ｂを使用し、その治具本体２の内部にパネル１５の垂直方向を向く支柱を位置させて固定しても良い。その場合には、水平方向に隣接する２枚のパネルの支柱がダブル用パネル取付治具１ｂに固定されるものである。
【００２６】
【発明の効果】
本発明は、上記のように構成したことにより、治具本体を骨組み側に固定し、パネル側の支柱を治具本体内に位置し、調整ねじによって所定の位置に位置決めし、この状態で止めねじにより支柱を治具本体に固定することにより、パネルを骨組みに取り付けることができることになる。従って、パネルの取付けが容易となるので、外壁工事に要する手間を少なくすることができ、施工期間を短縮することができ、施工コストを低減させることができる。
また、ナットに対する主ねじの螺着位置を調整することにより、治具本体の骨組みに対する位置を調整でき、また、調整ねじの治具本体に対する螺着位置を調整することにより、支柱の治具本体内における位置を調整できるので、骨組み側のナットの位置、パネルの支柱の位置等に多少の寸法誤差があっても、特に問題が生じることなくパネルを骨組みに取り付けることができるので、これによっても施工コストを低減させることができる。
【図面の簡単な説明】
【図１】本発明によるパネル取付治具の一実施の形態を示した説明図であって、シングル用パネル取付治具を表面側から見た斜視図である。
【図２】図１に示すシングル用パネル取付治具を裏面側から見た斜視図である。
【図３】ダブル用パネル取付治具を表面側から見た斜視図である。
【図４】図３に示すダブル用パネル取付治具を裏面側から見た斜視図である。
【図５】複数枚のパネルを骨組みに取り付けた状態を示した概略説明図である。
【図６】図５のＡ部を上方から見た説明図である。
【図７】図５のＡ部の拡大図である。
【図８】図５のＢ部の拡大図である。
【符号の説明】
１……パネル取付治具
１ａ……シングル用パネル取付治具
１ｂ……ダブル用パネル取付治具
２……治具本体
３……主板
３ａ……ねじ挿通用の孔
４……上板
４ａ、５ａ……ねじ孔
５……下板
６……主ねじ
７……ナット
８……ロックナット
９……調整ねじ
１０……止めねじ
１５……パネル
１６……支柱
２０……骨組み
【図１】
2004183311.tif 000003
【図２】
2004183311.tif 000004
【図３】
2004183311.tif 000005
【図４】
2004183311.tif 000006
【図５】
2004183311.tif 000007
【図６】
2004183311.tif 000008
【図７】
2004183311.tif 000009
【図８】
2004183311.tif 000010